(57)【要約】      （修正有）【課題】イカを冷蔵保存したり、冷蔵状態で輸送したりする場合に、長時間に渡って鮮度の良い状態に保つことのできる断熱容器を提供することを目的としている。また、多段に積載した場合に、上段から滴下してくる水分などを、下方に導いて速やかに排出することのできる断熱容器を提供する。【解決手段】発泡合成樹脂製の容器本体４と、発泡合成樹脂製の蓋体６と、複数の物品を個別に収容できるように、物品収容部が複数に分割された中容器８と、から構成される断熱容器であって、容器本体４内における底板部１の隅角部には、内部に貯留された水分を外部に外出するための排水孔が形成されているとともに、中容器８に形成された各物品収容部には、水抜き孔が形成され、中容器８に貯留された水分を、水抜き孔から容器本体４の排水孔１０を介して外部に排出し得るようにしたことを特徴としている。【選択図】図１
0003102576.tif 000002
【実用新案登録請求の範囲】
【請求項１】
底板部とこの底板部から立ち上げられた四側壁部とが一体的に成形された発泡合成樹脂製の容器本体と、
この容器本体の上端開口部に着脱自在に装着される発泡合成樹脂製の蓋体と、
前記容器本体内に出し入れ自在に収容されるとともに、複数の物品を個別に収容できるように、物品収容部が複数に分割された合成樹脂製のシートからなる中容器と、から構成される断熱容器であって、
前記容器本体内における前記底板部の隅角部には、内部に貯留された水分を外部に外出するための排水孔が形成されているとともに、
前記中容器に形成された各物品収容部には、水抜き孔が形成され、
前記中容器に貯留された水分を、前記水抜き孔から前記容器本体の前記排水孔を介して外部に排出し得るようにしたことを特徴とする断熱容器。
【請求項２】
前記蓋体の上面に凹所を形成するとともに、この凹所内に滞留する水分を、前記容器本体の下面にまで導くために、前記蓋体の隅角部と前記四側壁部の隅角部との間に貫通した排水通路を形成したことを特徴とする請求項１に記載の断熱容器。
【請求項３】
前記中容器の両端部には、水溜まり部として凹部が形成され、この凹部の底面に、前記水抜き孔が形成されていることを特徴とする請求項１または２に記載の断熱容器。
【請求項４】
前記中容器の水抜き孔は、切り込みから構成されていることを特徴とする請求項１または３に記載の断熱容器。
【請求項５】
前記中容器の物品収容部の幅は、イカの胴体の直径と略同寸法に設定されていることを特徴とする請求項１、３、４のいずれかに記載の断熱容器。
【考案の詳細な説明】
【技術分野】
【０００１】
本考案は、特に、生鮮品であるイカを冷蔵保存したり冷蔵状態で輸送したりするのに好適な断熱容器に関する。
【背景技術】
【０００２】
一般に、イカの冷蔵保存や冷蔵状態での輸送には、断熱性の高い発泡スチロール製の容器が使用され、その内部に氷を詰めた状態で搬送されている。
【０００３】
ところで、このように最初は新鮮なイカであっても、直接氷に触れた状態で冷蔵保存されたり搬送されたりすると、時間の経過とともにイカの表面が白く変色してしまい、結果として、過度に鮮度が落ちたかのような印象を消費者に与えてしまうことがあった。
【０００４】
また、容器内で氷が融けてできた水にイカの一部が浸漬された場合であっても、その部分から表面の白色化あるいは鮮度の劣化が進んでしまうという問題があった。
【０００５】
さらに、イカなどを収容した発泡スチロール製の箱が多段に段積されていると、例えば、上段の容器から水分が滴下して、その水が下段の容器内に侵入してしまい、その水により鮮度を落としてしまうおそれもあった。
【考案の開示】
【考案が解決しようとする課題】
【０００６】
本考案は、このような従来の問題に鑑み、例えば、イカを冷蔵保存したり、冷蔵状態で輸送したりする場合に、長時間に渡って鮮度の良い状態に保つことのできる断熱容器を提供することを目的としている。
【０００７】
また、多段に積載した場合に、上段から下方に滴下してくる水分を、容器内に浸入させずに速やかに容器外方に排出することのできる断熱容器を提供することを目的としている。
【課題を解決するための手段】
【０００８】
上記目的を達成するための本考案に係る断熱容器は、
底板部とこの底板部から立ち上げられた四側壁部とが一体的に成形された発泡合成樹脂製の容器本体と、
この容器本体の上端開口部に開閉自在に装着される発泡合成樹脂製の蓋体と、
前記容器本体内に出し入れ自在に収容されるとともに、複数の物品を個別に収容できるように、物品収容部が複数に分割された合成樹脂製のシートからなる中容器と、から構成される断熱容器であって、
前記容器本体内における前記底板部の隅角部には、内部に貯留された水分を外部に外出するための排水孔が形成されているとともに、
前記中容器に形成された各物品収容部には、水抜き孔が形成され、
前記中容器に貯留された水分を、前記水抜き孔から前記容器本体の前記排水孔を介して外部に排出し得るようにしたことを特徴としている。
【０００９】
係る構成による断熱容器によれば、内部に収容される物品は中容器を介して直接氷に触れずに収容されるので、例えば、イカを収容した場合には、その表面を鮮度の良い半透明で黒い状態に維持しながら保存あるいは搬送することができる。また、仮に中容器に氷の融けた水などが溜まったとしてもその水は中容器の水抜き孔から容器本体の排水孔を介し
て速やかに容器本体外に排出することができる。
【００１０】
ここで、本考案では、前記蓋体の上面に凹所を形成するとともに、この凹所内に滞留する水分を、前記容器本体の下面にまで導くために、前記蓋体の隅角部と前記四側壁部の隅角部との間に貫通した排水通路を形成することが好ましい。
【００１１】
このような貫通した排水通路が蓋体と容器本体との間に形成されていれば、蓋体が閉じられた状態で、多段に積載された場合などに、上方から蓋体に落下してきた水分を速やかに外部に排出することができる。したがって、蓋体を開ける操作を行う場合や、段積みされた容器群から一段ずつ容器を下ろす作業を行うときなどに、容器本体内に水が誤って浸入してしまうことを防止することができる。
【００１２】
また、前記中容器の両端部には、水溜まり部として凹部が形成され、この凹部の底面に、前記水抜き孔が形成されていることが好ましい。
【００１３】
このように中容器の両端部に凹部を形成し、その凹部内に水抜き孔を形成すれば、中容器内に少しの水が存在する場合であっても、その水を集めて外部に排出することができる。また、物品に水が接触することを可及的に防止することができる。
【００１４】
また、前記中容器の水抜き孔は、切り込みから構成されていることが好ましい。
【００１５】
このような水抜き孔であれば、切り込みの舌片により、逆方向から水が入ってしまうことを防止することができる。したがって、一端排出された水あるいは融けた氷水などが商品の周りにまとわりつくこともない。
【００１６】
さらに、前記中容器の物品収容部の幅は、イカの胴体の直径と略同寸法に設定されていることが好ましい。
【００１７】
このような設定であれば、イカの保存、運搬に好適である。
【考案を実施するための最良の形態】
【００１８】
以下、図面を参照しながら本考案の好ましい実施態様について説明する。
【００１９】
図１は、本考案の一実施例による断熱容器の分解斜視図、図２は、本考案の一実施例による断熱容器の断面図、図３は図１に示した容器本体の平面図である。
【００２０】
図１に示したように、本実施例の断熱容器２は、発泡合成樹脂製の容器本体４と、該容器本体４に開閉自在に装着される発泡合成樹脂製の蓋体６と、容器本体４内に収容される合成樹脂シートの成形体からなる中容器８とから構成されている。
【００２１】
図１および図２に示したように、容器本体４の底板部１から立ち上げられた四側壁部３，５，７，９の上端部には、その肉厚の内側半部に上方に突出する係合壁１２が連続的に形成され、これに対して蓋体６の下面には、上記係合壁１２が嵌合する係合溝１４が形成され、蓋体６の係合溝１４と容器本体４の係合壁１２とが嵌合されることにより、蓋体６が容器本体４の上端開口部に着脱自在に被着されるようになっている。
【００２２】
一方、図３および図３のＣ−Ｃ線断面である図４に示したように、容器本体４内の底板部１の隅角部には、内部に貯留された水などを外部に排出するための排水孔１５が形成されている。この排水孔１５は、容器本体４内の隅角部から側壁部の隅角部に向って放射状に形成されているとともに、その下端開口は水の排出を促すように下方に向って斜めに傾
斜して形成されている。
【００２３】
一方、容器本体４を構成する四側壁部３，５，７，９の隅角部には、上下方向に排水通路１０が形成されている。この排水通路１０は、側壁部３，５，７，９の肉厚の間を通り、容器本体４の底面にまで貫通している。そして、図４に示したように、その途中に上記排水孔１５が連通している。
【００２４】
発泡合成樹脂から形成された蓋体６の上面には、略矩形状の凹所２０が形成されるとともに、この凹部２０の隅角部には、排水通路１８が貫通して形成されている。なお、この排水通路１８は、上記した容器本体４の排水通路１０と同一直線上に位置している。したがって、仮に、蓋体６の凹所２０内に水が溜まったとしても、その水は、蓋体６の排水通路１８から容器本体４の排水通路１０を通って、容器本体４の底面側に導かれ、外部に排出される。これにより、例えば、上下に段積する作業を行ない、上段からの水が下方に滴下してきたとしても、その水は下方の容器本体４内に浸入することはない。
【００２５】
以下、容器本体４内に出し入れ自在に収容される中容器８の構造について説明する。この中容器８は、合成樹脂製シートの成形体から構成されている。全体的には、略皿状に形成されているが、内部の物品収容部は、細長い半円柱状で複数の隔壁体２５により分割され、分割されたスペースに、例えば、イカなどの物品が一個ずつ収容されるようになっている。また、中容器８の複数に分割された物品収容部Ｍの底面は、図７に示したように丸みを帯びており、イカなどを収納しやすくなっている。さらに、物品収容部Ｍの幅は、例えば、収容するイカの胴体の直径と略同寸法に設定されている。
【００２６】
中容器８の物品収容部Ｍの両端部は、図８に示したように、中央部に比べて一部低く、ここに水溜まり部として凹部３０が形成されている。したがって、中容器８の物品収容部Ｍ内に少しずつ水が滴下して全体の量が少ないとしても、その水は一段低い両端部の凹部３０内に集められる。
【００２７】
さらに、この凹部３０の底面には、例えば、図７に示したように、カッター刃などによりコ字状の切り込みが形成され、この切り込みにより、水抜き孔３１が構成されている。したがって、中容器８の凹部３０内に溜まった水は、量の多少にかかわらずこの水抜き孔３１を介して外部に排出することができる。
【００２８】
なお、水抜き孔３１は、スリット状の極めて細い開口であるとともに、その水抜き孔３１に、水が下方に向かって流れるため、その水の流れにより、切り込まれた舌片は、水の流れている最中は、下方に折られたような姿勢を有する。したがって、その切り込みにより形成される舌片は、あたかも弁であるかのように、反対方向からの水の侵入を効果的に防止することができる。
【００２９】
以上、本考案の一実施例による断熱容器２の構成について説明したが、以下に、その作用について説明する。
【００３０】
本実施例の断熱容器２は、イカや魚などの生鮮品の運搬に好ましく使用することができる。この実施例では、特に、新鮮なイカを冷蔵輸送する場合について説明する。
【００３１】
先ず、容器本体４内に適宜な量の氷を投入し、平均的に敷き並べるとともに、その上に中容器８を配置する。そして、中容器８の内部に、例えば、鮮度の良いイカを敷き並べる。このとき、物品収容部Ｍの幅は、イカの胴体の直径と略等しく設定されていることが好ましい。また、物品収容部Ｍの長さは、イカの胴体の全長を収容できる長さであることが好ましい。
【００３２】
所定数のイカが収容されたら、容器本体４の上に蓋体６を装着する。これにより、イカは、直接氷に触れずに間接的に冷却されることになる。
【００３３】
本実施例による容器本体４内では、イカと氷は直接接触することがないので、このままの状態で保存したり輸送したりしても、鮮度の良い状態を長く保つことができる。すなわち、イカの表面の白変色を防ぐことができる。また、時間の経過とともに、イカ自身から水が出てきたりあるいは氷の一部が融けて、中容器８の上に氷水がでてきたとしても、中容器８には両端部に水抜き孔３１が形成されているため、中容器８内の水は、量を問わず、この水抜き孔３１を介して容器本体４内に排出することができる。また、容器本体４内には、排水孔１５が形成されているため、上記水抜き孔３１から排出された水は、排水孔１５を介して容器本体４の外方に排出することができる。したがって、中容器８内に、仮に水が存在するとしても、その水を、容器本体４の外方に排出することができる。
【００３４】
さらに、中容器８内でなくとも、容器本体４内において、冷却用の氷が融けてできた水は、この排水孔１５を介して速やかに外部に排出することができる。これにより、中容器８内あるいは容器本体４内に水が溜まったりすることはない。したがって、イカが直接氷や水と触れた状態になることはなく、これにより、鮮度を悪く見せるイカの表面の白色化を防止することができる。
【００３５】
このようにして、鮮度の良いイカを長時間に渡って、半透明で新鮮な色合いに保つことができる。これにより、問屋の立場から見れば、鮮度の良いイカを次の業者に卸すことができるので、物流分野において極めて有効な断熱容器を提供することができる。
【００３６】
さらに、生産地から遠方の消費者であっても、鮮度の良いイカを食することができる。
【００３７】
一方、容器本体４上に蓋体６を被せ、この状態で多段に積載した場合について説明する。この場合、上方の容器本体４から下方の蓋体６に向かって、水が滴下してくることもあるが、その場合、上方からの水は、蓋体６の排水通路１８から容器本体４の排水通路１０を介して真っ直ぐに垂下して容器の外方に排出することができる。したがって、容器の開口部部の近傍に滞留することはない。
【００３８】
このように、本実施例では、氷の融けた水が容器本体４内に滞留しないことは勿論のこと、上方から滴下してきた水などを容器本体４の内部に侵入させることもない。したがって、例えば、鮮度の良いイカを収容した場合に、イカと氷あるいはイカと水との接触を可及的に少なくすることができ、冷却のみを促すことができる。
【００３９】
以上、本考案の一実施例による断熱容器について説明したが、本考案は上記実施例に何ら限定されない。例えば、上記実施例では、イカを収容する場合について説明したが、例えば、カマスのような細身の魚を冷蔵保存したり、運搬したりするのにも好適である。また、鮮魚に限定されず、肉などを冷蔵保存したり、あるいはアイスクリームの持ち帰り用の容器として、使用することもできる。
【００４０】
このような場合には、中容器８の物品収容部Ｍの形状や、あるいは幅を、物品の形状に合わせて適宜変更すればよい。
【００４１】
また、中容器８をそのまま陳列用のトレイとして使用することもできる。
【００４２】
また、上記実施例では、中容器８に形成した水抜き孔３１は、カッターなどによる切り込みにより構成しているが、これに代え、小さい丸孔などを開けて形成することもできる
。
【００４３】
しかしながら、水抜き孔３１は、丸孔よりも単に切り込みの方が、逆方向からの水の浸入を防止することができる点で好ましい。
【００４４】
さらに、上記実施例では、特に言及しなかったが、容器本体４の底板部１に、低い溝状の段差を形成することもできる。このような低い溝状の段差を形成すれば、段差の低い部分を水の通り道として使用することができ、水の通る幅が狭くなることから、水の排出を促すことができる。よって、容器本体４の底板部１の下面に、少ない量の水が滞留してしまうことを防止し、排水孔１５から不要な水を速やかに排出することができる。
【００４５】
また、上記実施例では、容器本体４内に、中容器８を一つしか収容していないが、容器本体４の高さを高くすれば、中容器８を２段、３段、あるいはそれ以上、収容することもできる。
【００４６】
さらに、上記実施例では、冷却用に氷を例示したが、場合によっては、保冷剤ような冷却媒体で合っても良い。また、氷は、破砕されたものでも、そのままブロックのような大きい塊であっても使用することができ、中容器８を安定に載置できるものであれば良い。
【００４７】
また、蓋体６の凹所２０の大きさを、容器本体４の底面凸部を嵌合し得る大きさに設定すれば、蓋体６の上に、容器本体４の底面を安定した状態で嵌合することができる。これにより、段積した多数の断熱容器２の荷崩れを防止することができる。
【００４８】
このように本考案の断熱容器２は、様々な態様が可能であり、上記実施例に何ら限定されるものではなく、要は、氷などと物品が直接接触しないように、内部に中容器８を設け、この中容器８と容器本体４に、水抜き用の排水孔を設け、これらの排水孔から水を排出すれば良い。また、この排水孔により、外部にごみなどを排出することもできるが、あまりに排水孔の大きさが大きいと、外部から温かい空気が侵入したりして冷却効果が損なわれるので、容器本体４の大きさに合わせて排水孔の大きさを設定すればよい。
【図面の簡単な説明】
【００４９】
【図１】図１は本考案の一実施例による断熱容器の分解斜視図である。
【図２】図２は図１に示した断熱容器の分解断面図である。
【図３】図３は図１に示した容器本体の平面図である。
【図４】図４は図３におけるＣ−Ｃ線方向の断面図である。
【図５】図５は図３におけるＤ−Ｄ線方向の断面図である。
【図６】図６は本実施例による蓋体の部分断面図である。
【図７】図７は図１に示した中容器の裏面側の斜視図である。
【図８】図８は図１に示した中容器のＥ−Ｅ線方向の断面図である。
【符号の説明】
【００５０】
１              底板部
２              断熱容器
３，５，７，９  側壁部
４              容器本体
６              蓋体
８              中容器
１０            排水通路
１２            係合壁
１４            係合溝
１５            排水孔
１８            排水通路
２０            凹部
２５            隔壁体
３０            凹所
３１            水抜き孔
Ｍ              物品収容部
【図１】
0003102576.tif 000003
【図２】
0003102576.tif 000004
【図３】
0003102576.tif 000005
【図４】
0003102576.tif 000006
【図５】
0003102576.tif 000007
【図６】
0003102576.tif 000008
【図７】
0003102576.tif 000009
【図８】
0003102576.tif 000010